(57)【要約】【課題】測定するカラーパッチを可能な限り抑え、且つ、特にグレー近傍の出力色の調整を高精度で行うことが可能な色変換テーブル作成方法を提供することにある。【解決手段】複数の基本色の所定のパラメータの第１の組み合わせによる出力色の色特性の値を測定し、さらに、測定した色特性の値のから補間して第１の組み合わせより多い第２の組み合わせに対する色特性の値の第１のテーブルを作成し、第１のテーブルのグレー及びグレー近傍の色特性の値で補間により求められたものを、測定値に置き換えて色変換テーブルを作成することを特徴とする【選択図】      図２
2004282173.tif 000002
【特許請求の範囲】
【請求項１】
カラー画像出力装置のカラー画像の色調整に用いられる色変換テーブルの作成方法であって、
複数の基本色の所定のパラメータの第１の組み合わせによる出力色の色特性の値と、前記第１の組み合わせには含まれない所定のパラメータの組み合わせによるグレーを含む出力色と更に前記グレー近傍の前記第１の組み合わせには含まれない所定のパラメータの組み合わせによる出力色を含む出力色の色特性の値とを測定する段階と、
前記測定された第１の組み合わせによる出力色の色特性の値を用いて、前記第１の組み合わせを含み且つ前記第１の組み合わせより多い第２の組み合わせに対する色特性の値の第１のテーブルを作成する段階と、
前記グレー及び前記グレー近傍の出力色の所定のパラメータの組み合わせを前記第１のテーブルから抽出し、前記抽出された組み合わせの前記第１のテーブルにおける色特性の値を、前記グレー及び前記グレー近傍の出力色を測定して得られた色特性の値に置き換えて第２のテーブルを作成し、これを前記色変換テーブルとする段階と、を含むことを特徴とする色変換テーブルの作成方法。
【請求項２】
カラー画像出力装置のカラー画像の色調整に用いられる色変換テーブルの作成方法であって、
複数の基本色の所定のパラメータの第１の組み合わせによる出力色の色特性の値と、前記第１の組み合わせには含まれない所定のパラメータの組み合わせによるグレーを含む出力色と更に前記グレー近傍の前記第１の組み合わせには含まれない所定のパラメータの組み合わせによる出力色を含む出力色の色特性の値とを測定する段階と、
前記測定された第１の組み合わせによる出力色の色特性の値を用いて、前記第１の組み合わせを含み且つ前記第１の組み合わせより多い第２の組み合わせに対する色特性の値の第１のテーブルを作成する段階と、
前記グレー及び前記グレー近傍の出力色の所定のパラメータの組み合わせを前記第１のテーブルから抽出し、前記抽出された組み合わせの前記第１のテーブルにおける色特性の値を、前記グレー及び前記グレー近傍の出力色を測定して得られた色特性の値に置き換えて第２のテーブルを作成する段階と、
前記第２のテーブルを用いて複数の色特性の値に対する複数の基本色の組み合わせの第３のテーブルを作成し、これを前記色変換テーブルとする段階と、を含むことを特徴とする色変換テーブルの作成方法。
【請求項３】
前記第１及び第２の複数の基本色の所定のパラメータの組み合わせは、前記所定のパラメータが０から最大値までにわたるものである請求項１または請求項２に記載の色変換テーブルの作成方法。
【請求項４】
前記複数の基本色は、イエロー（Ｙ）、マゼンタ（Ｍ）、シアン（Ｃ）及びブラック（Ｋ）である請求項１乃至請求項４のいずれかに記載の色変換テーブルの作成方法。
【請求項５】
前記グレーは、少なくともイエロー（Ｙ）、マゼンタ（Ｍ）、シアン（Ｃ）それぞれの所定のパラメータが均等である請求項４に記載の色変換テーブルの作成方法。
【請求項６】
前記グレーの近傍の出力色は、前記グレーの近傍で、前記グレーのＹ、Ｍ、Ｃの所定のパラメータを基準にしてＣとＭ、ＹとＣおよびＭとＹをそれぞれ変化させてできるＣＭ、ＹＣおよびＭＹ座標平面の各平面上に、Ｃ、ＭまたはＹのそれぞれが所定の間隔でもって格子を形成するような組み合わせによる請求項４または請求項５に記載の色変換テーブルの作成方法。
【請求項７】
前記色特性の値は、表色系の値のＬ＊ａ＊ｂ＊値である請求項１乃至請求項６のいずれかに記載の色変換テーブルの作成方法。
【発明の詳細な説明】
【０００１】
【発明の属する技術分野】
本発明は、色変換テーブルの作成方法に関し、特に、カラー画像出力装置の出力色の色調整に用いられる色変換テーブルの作成方法に関する。
【０００２】
【従来の技術】
従来、網点タイプのカラープルーフプリンタではＣＭＹＫの各色材の色が印刷インキ色に近いため、網点太りの違いの補正（ドットゲインカーブ補正）を、ＣＭＹＫの各色について網点面積率の測定結果に基づいて行うことで、ある程度まで印刷機に対して色を合わせることが可能であった。しかし、レッドＲ、グリーンＧ、ブルーＢの２次色、ＣＭＹ３色による黒、ＣＭＹＫ４色による黒やそれらの付近の色については、印刷機と色の出方が異なり、厳密な色合わせは困難であった。そこで、例えば、いわゆるカラーマネージメントシステムが提案され、校正用カラープリンタの色を印刷機の色に合わせ込む等の色調整が可能になった。ここで、カラーマネージメントシステムの一例として、校正用カラープリンタや印刷機における複数の基本色のパラメータの組み合わせに対する色特性の値のルックアップテーブル（ＣＭＹＫ→Ｌ＊ａ＊ｂ＊  ＬＵＴ）や複数の色特性の値に対する複数の基本色のパラメータの組み合わせのルックアップテーブル（Ｌ＊ａ＊ｂ＊→ＣＭＹＫ  ＬＵＴ）の出力装置の出力色特性を表すデバイスカラープロファイルを用いて行われる（Ｃはシアン（青緑色）、Ｍはマゼンタ（赤紫色）、Ｙはイエロー（黄色）、Ｋはブラック（黒色）であり、Ｌ＊ａ＊ｂ＊値は色を表す３次元空間で、ａ＊ｂ＊平面により色度・彩度が表され、Ｌ＊はａ＊ｂ＊平面に直交し明度を表し、ＬＵＴはルックアップテーブルである。また、パラメータとは、いわゆる階調、網点面積率や濃度等のいずれかである。）。例えば、印刷機のＣＭＹＫ→Ｌ＊ａ＊ｂ＊  ＬＵＴと校正用カラープリンタのＬ＊ａ＊ｂ＊→ＣＭＹＫ  ＬＵＴを用いて、印刷機のＣＭＹＫのパラメータの組み合わせに対する校正用カラープリンタのＣＭＹＫのパラメータの組み合わせのＣＭＹＫ→ＣＭＹＫ  ＬＵＴにより、校正用カラープリンタの色を印刷機の色に合わせ込む。
【０００３】
しかしながら、上述のルックアップテーブルを作成するために、校正用カラープリンタや印刷機でＣＭＹＫを組み合わせた複数のカラーパッチを出力し、出力されたカラーパッチの色特性を測定する必要があり、色調整をより高精度に行うためには、測定するカラーパッチの数を多くする必要があった。
【０００４】
また、測定するカラーパッチをできる限り抑え、測定していないＣＭＹＫの組み合わせについては、測定結果から補間して求めルックアップテーブルを作成する方法がある（例えば、特願２００１−２６３３１５号明細書（段落〔００４６〕−〔００５６〕、第１６図）。）
【０００５】
【発明が解決しようとする課題】
しかしながら、上述のように測定するカラーパッチをできる限り抑え、さらに測定結果から補間して求め、作成したルックアップテーブルを用いて行う色調整では、補間して求めた色特性と校正用カラープリンタや印刷機などの実際の色特性との差から、特に色合わせが重要とされるグレー近傍で色が少々異なって出力される場合があった。
【０００６】
本発明は、上記事情に鑑みてなされたものであり、その目的とするところは、測定するカラーパッチを可能な限り抑え、且つ、特にグレー近傍の出力色の調整を高精度で行うことが可能な色変換テーブルの作成方法を提供することにある。
【０００７】
【課題を解決するための手段】
上記目的を達成するために、請求項１記載の発明は、カラー画像出力装置のカラー画像の色調整に用いられる色変換テーブルの作成方法であって、複数の基本色の所定のパラメータの第１の組み合わせによる出力色の色特性の値と、前記第１の組み合わせには含まれない所定のパラメータの組み合わせによるグレーを含む出力色と更に前記グレー近傍の前記第１の組み合わせには含まれない所定のパラメータの組み合わせによる出力色を含む出力色の色特性の値とを測定する段階と、前記測定された第１の組み合わせによる出力色の色特性の値を用いて、前記第１の組み合わせを含み且つ前記第１の組み合わせより多い第２の組み合わせに対する色特性の値の第１のテーブルを作成する段階と、前記グレー及び前記グレー近傍の出力色の所定のパラメータの組み合わせを前記第１のテーブルから抽出し、前記抽出された組み合わせの前記第１のテーブルにおける色特性の値を、前記グレー及び前記グレー近傍の出力色を測定して得られた色特性の値に置き換えて第２のテーブルを作成し、これを前記色変換テーブルとする段階と、を含むことを特徴としている。
【０００８】
また、請求項２記載の発明は、カラー画像出力装置のカラー画像の色調整に用いられる色変換テーブルの作成方法であって、複数の基本色の所定のパラメータの第１の組み合わせによる出力色の色特性の値と、前記第１の組み合わせには含まれない所定のパラメータの組み合わせによるグレーを含む出力色と更に前記グレー近傍の前記第１の組み合わせには含まれない所定のパラメータの組み合わせによる出力色を含む出力色の色特性の値とを測定する段階と、前記測定された第１の組み合わせによる出力色の色特性の値を用いて、前記第１の組み合わせを含み且つ前記第１の組み合わせより多い第２の組み合わせに対する色特性の値の第１のテーブルを作成する段階と、前記グレー及び前記グレー近傍の出力色の所定のパラメータの組み合わせを前記第１のテーブルから抽出し、前記抽出された組み合わせの前記第１のテーブルにおける色特性の値を、前記グレー及び前記グレー近傍の出力色を測定して得られた色特性の値に置き換えて第２のテーブルを作成する段階と、前記第２のテーブルを用いて複数の色特性の値に対する複数の基本色の組み合わせの第３のテーブルを作成し、これを前記色変換テーブルとする段階と、を含むことを特徴としている。
【０００９】
また、請求項３記載の発明は、前記第１及び第２の複数の基本色の所定のパラメータの組み合わせは、前記所定のパラメータが０から最大値までにわたるものであることを特徴としている。
【００１０】
また、請求項４記載の発明は、前記複数の基本色は、イエロー（Ｙ）、マゼンタ（Ｍ）、シアン（Ｃ）及びブラック（Ｋ）であることを特徴としている。
【００１１】
また、請求項５記載の発明は、前記グレーは、少なくともイエロー（Ｙ）、マゼンタ（Ｍ）、シアン（Ｃ）それぞれの所定のパラメータが均等であることを特徴としている。
【００１２】
また、請求項６記載の発明は、前記グレーの近傍の出力色は、前記グレーの近傍で、前記グレーのＹ、Ｍ、Ｃの所定のパラメータを基準にしてＣとＭ、ＹとＣおよびＭとＹをそれぞれ変化させてできるＣＭ、ＹＣおよびＭＹ座標平面の各平面上に、Ｃ、ＭまたはＹのそれぞれが所定の間隔でもって格子を形成するような組み合わせによることを特徴としている。
【００１３】
また、請求項７記載の発明は、前記色特性の値は、表色系の値のＬ＊ａ＊ｂ＊値であることを特徴としている。
【００１４】
【発明の実施の形態】
本発明の特徴は、例えば印刷機と校正用カラープリンタの出力色を合わせるために用いる校正用カラープリンタや印刷機における複数の基本色のパラメータの組み合わせに対する色特性の値のルックアップテーブル（ＣＭＹＫ→Ｌ＊ａ＊ｂ＊  ＬＵＴ）や複数の色特性の値に対する複数の基本色のパラメータの組み合わせのルックアップテーブル（Ｌ＊ａ＊ｂ＊→ＣＭＹＫ  ＬＵＴ）の出力色特性を表すデバイスカラープロファイルにより色変換を行う色変換テーブルを特にグレーの再現精度が向上するように作成することで、且つ、作成の際の測定するカラーパッチを可能な限り抑えることを可能にするものである。
【００１５】
ここで、Ｃはシアン（青緑色）、Ｍはマゼンタ（赤紫色）、Ｙはイエロー（黄色）、Ｋはブラック（黒色）であり、Ｌ＊ａ＊ｂ＊値は色を表す３次元空間で、ａ＊ｂ＊平面により色度・彩度が表され、Ｌ＊はａ＊ｂ＊平面に直交し明度を表し、ＬＵＴはルックアップテーブルである。また、パラメータとは、いわゆる階調、網点面積率等であり、以下の実施の形態では、最小値を０、最大値を１００とする数値で表す。０は白であり、１００は例えば網点面積率であれば１００％すなわちベタを表すものである。
【００１６】
（装置構成）
以下、本発明の実施形態の一例について図１から図１８を参照しながら説明する。まず、本実施の形態の装置構成の一例を示す。
【００１７】
図１は、本発明の色調整を実施する実施形態の一例を示したブロック図である。図１に示すように、主にパソコン１０とカラー画像出力装置としての校正用カラープリンタ２０から構成される。パソコン１０は、マイクロプロセッサからなる演算処理部１１、メモリからなる第１記憶部１２、ハードディスクからなる第２記憶部１３、外部との通信手段であるインターフェイス１４、ディスプレイからなる表示部１５、キーボードからなる操作部１６、これらを通信可能にする内部バス１７からなる。また、パソコン１０と校正用カラープリンタ２０は、画像情報等を転送可能にするためのバス３０により、接続されている。このような構成により、例えばインターフェイス１４から入力された画像データに所定の処理を行い、校正用カラープリンタ２０に転送し、校正用カラープリンタ２０で画像を出力する。
【００１８】
また、パソコンには、インターフェイス１４を介して測定器１８が備えられ、測定器１８を用いて出力されたカラーパッチ（出力色）を測定して色特性の値である表色系の値Ｌ＊ａ＊ｂ＊値をパソコン１０に転送するようになされている。
【００１９】
また、第２記憶部１３には、インターフェイス１４を介して転送されるカラーパッチの測定結果を格納する測定テーブル１３１と、校正用カラープリンタ２０についての、後述する本発明の第１のテーブルとしてのＣＭＹＫ→Ｌ＊ａ＊ｂ＊ＬＵＴ（１）１３２、本発明の第２のテーブルとしてのＣＭＹＫ→Ｌ＊ａ＊ｂ＊  ＬＵＴ（２）１３４、本発明の第３のテーブルとしてのＬ＊ａ＊ｂ＊→ＣＭＹＫ  ＬＵＴ１３３の３つのＬＵＴ、及び、印刷機についてのＣＭＹＫ→Ｌ＊ａ＊ｂ＊  ＬＵＴ１３５とＬ＊ａ＊ｂ＊→ＣＭＹＫ  ＬＵＴ１３６の２つのＬＵＴが格納されている。また、測定テーブル１３１に格納されたカラーパッチの測定結果を用いて、ＣＭＹＫ→Ｌ＊ａ＊ｂ＊  ＬＵＴ（１）１３２を計算するプログラム、ＣＭＹＫ→Ｌ＊ａ＊ｂ＊  ＬＵＴ（１）１３２と測定テーブル１３１に格納された測定値からＣＭＹＫ→Ｌ＊ａ＊ｂ＊  ＬＵＴ（２）１３４を作成するプログラム、及び、ＣＭＹＫ→Ｌ＊ａ＊ｂ＊  ＬＵＴ（２）１３４からＬ＊ａ＊ｂ＊→ＣＭＹＫ  ＬＵＴ１３３を作成するプログラムが格納されている。また，印刷機のＣＭＹＫ→Ｌ＊ａ＊ｂ＊  ＬＵＴ１３５、Ｌ＊ａ＊ｂ＊→ＣＭＹＫ  ＬＵＴ１３６と、校正用カラープリンタ２０のＣＭＹＫ→Ｌ＊ａ＊ｂ＊  ＬＵＴ（２）１３４、Ｌ＊ａ＊ｂ＊→ＣＭＹＫ  ＬＵＴ１３３とを用いて色調整を行うためのプログラムを格納している。この他、全体の制御プログラム及びフォントデータ、並びに色別分版処理（特色分版）のための制御プログラム、処理の途中経過などを一時的に記憶するワークメモリなどの各種メモリ領域を含む。
【００２０】
（色変換テーブル）
次に、本発明の特徴である色変換テーブルについて述べる。図２は本発明の特徴である色変換テーブル作成方法の各ステップを示すフローチャートである。ここで、本発明でいう色変換テーブルとは、校正用カラープリンタ２０のＣＭＹＫ→Ｌ＊ａ＊ｂ＊  ＬＵＴ（２）１３４及びＬ＊ａ＊ｂ＊→ＣＭＹＫ  ＬＵＴ１３３のことである。最初に、図２により各ＬＵＴ作成方法の各ステップを概略的に説明する。また、以下の説明は本実施形態に含む校正用カラープリンタ２０を用いて行うが、例えば印刷機など他のカラー画像出力装置についても同様に行うことが可能である。
【００２１】
まず、校正用カラープリンタ２０でカラーパッチ及びグレーパッチとそのグレー近傍のパッチを出力し、そのパッチのＬ＊ａ＊ｂ＊値を測定器１８で測定し、第２記憶部１３の測定テーブル１３１に格納し（ステップＳ２１、以下Ｓ２１と省略し、他のステップも同様に省略する）、カラーパッチの測定結果に基づいてＣＭＹＫ→Ｌ＊ａ＊ｂ＊  ＬＵＴ（１）１３２を作成する（Ｓ２２）。次に、ＣＭＹＫ→Ｌ＊ａ＊ｂ＊  ＬＵＴ（１）１３２の中から、グレーパッチとそのグレー近傍のパッチに対応するＣ，Ｍ，Ｙ，Ｋの組み合わせを抽出し、そのＬ＊ａ＊ｂ＊値を測定結果のＬ＊ａ＊ｂ＊値に置き換えて、ＣＭＹＫ→Ｌ＊ａ＊ｂ＊  ＬＵＴ（２）１３４を作成し、第２記憶部１３に格納する（Ｓ２３）。さらに，ＣＭＹＫ→Ｌ＊ａ＊ｂ＊  ＬＵＴ（２）１３４を用いてＬ＊ａ＊ｂ＊→ＣＭＹＫ  ＬＵＴ１３３を作成し、第２記憶部１３に格納する（Ｓ２４）。このようにして本発明の色変換テーブルであるＣＭＹＫ→Ｌ＊ａ＊ｂ＊  ＬＵＴ（２）１３４及びＬ＊ａ＊ｂ＊→ＣＭＹＫ  ＬＵＴ１３３が作成される。
【００２２】
つぎに、図３〜図１８を参照しつつ上述の各種テーブル等の作成方法について詳細に説明する。ここで、ＣＭＹＫ→Ｌ＊ａ＊ｂ＊  ＬＵＴ（１）１３２及びＣＭＹＫ→Ｌ＊ａ＊ｂ＊  ＬＵＴ（２）１３４は、ＣＭＹＫの色の値を表色系の値Ｌ＊ａ＊ｂ＊に変換するもので、Ｌ＊ａ＊ｂ＊→ＣＭＹＫ  ＬＵＴ１３３は、表色系の値Ｌ＊ａ＊ｂ＊をＣＭＹＫの色の値に変換するものである。また、Ｌ＊ａ＊ｂ＊→ＣＭＹＫ  ＬＵＴ１３３はＬ＊ａ＊ｂ＊の全色座標空間の中で、デバイスによるＣＭＹＫ混色の色再現可能範囲は限られるため、色再現可能範囲内にどのようにＬ＊ａ＊ｂ＊の全色座標空間を写像するのか写像方法を何通りか変化させ、複数個持たせて、入力デバイスの種類に応じて選択して用いるのが一般的である。
【００２３】
（Ｓ２１）
まず、Ｃ、Ｍ、Ｙ、Ｋそれぞれのパラメータを最小値０から最大値１００までを５分割し、０、２０、４０、６０、８０、１００の６段階をとり、Ｃ×Ｍ×Ｙ×Ｋ：６×６×６×６＝１２９６点の組合せについてカラーパッチ（例えば図４のようなカラーチャート）を校正用カラープリンタ２０で印刷し、６×６×６×６＝１２９６点の各パッチを順番に測定してＬ＊ａ＊ｂ＊値を測定テーブル１３１に格納する。
【００２４】
また、図４に含まれないグレーパッチ及びそのグレーの近傍のパッチを含むカラーチャートとして、図１６に示すようなＣ，Ｍ，Ｙのパラメータの組み合わせのグレー及びグレーの近傍のパッチ２８５個を出力し、測定器１８で測定してＬ＊ａ＊ｂ＊値を同じく測定テーブル１３１に格納しておく。図１６に示すＣ，Ｍ，Ｙの組み合わせの中で例えばＣ＝２０，Ｍ＝２０，Ｙ＝２０のパッチなどは図４のカラーチャートにも同じ組み合わせが含まれているが、Ｃ，Ｍ，Ｙのパラメータを規則的に変化させるように図１６の組み合わせを決めているためであり、またこのように図４と図１６の両方に含まれる組み合わせは２８５個の中で２８個のみであるため追加となる測定数はわずかである。
【００２５】
本実施の形態では、Ｋ＝０のみについてグレーパッチ及びそのグレーの近傍のパッチを含むカラーチャートを測定して使用する例を示すが、図１６に示すＣ，Ｍ，Ｙのパラメータの組み合わせにＫ＝１０，２０，３０，・・・などのＫを加えた組み合わせのパッチを測定して同様に使用してもよい。
【００２６】
また、図１６の組み合わせによるチャートの一例を図１７に示す。図１７に示すように、チャートには、Ａ〜Ｐの段を示す符号及び各段のパッチにはＮｏ．を付した。この符号及びＮｏ．は、図１６の「段／Ｎｏ．」と対応させてある。
【００２７】
さらに、図１６に付した「データＮｏ．」と、図１８を用いて各パッチの説明をする。図１８には、図１６で付したＮｏ．と対応したＮｏ．を付した。データＮｏ．１は、Ｃ、Ｍ、Ｙが均等なグレーである。ここで、「均等な」とは、本実施の形態ではＣ、Ｍ、Ｙ、Ｋの最小値が０、最大値が１００と同じであるため、グレーのＣ、Ｍ、Ｙは等しい値で「均等な」となるが、最大値が異なれば最大値に対する比率が等しい値が「均等な」になる。Ｎｏ．２〜３７は、図１８に示すように、グレーを原点としたＣＭ平面、ＭＹ平面、ＣＹ平面の各平面上でＣ、Ｍ、Ｙそれぞれを均等の間隔（図１８では１０間隔）でＮｏ．１に対してＣ、ＭまたはＹを加算して各平面上に格子を形成する組み合わせとなっている。
【００２８】
（Ｓ２２）
ＣＭＹＫ→Ｌ＊ａ＊ｂ＊  ＬＵＴ１３２は、例えば、図３に示すようになり、ＣＭＹＫのＬＵＴ入力点に対しＬ＊ａ＊ｂ＊値が入る４次元入力／３次元出力であり、具体的には（Ｓ２１）で測定した各カラーパッチのＬ＊ａ＊ｂ＊値を求めてＬＵＴにし、例えば、次のような方法で決めることができる。
【００２９】
４次元入力／３次元出力ＬＵＴは、１１×１１×１１×１１の格子点の間の点について、６×６×６×６＝１２９６点の各パッチを１１×１１×１１×１１の格子点に補間を行って変換する。図５に示すように、黒丸●を格子点（測定点）とし、△印と×印を夫々補間すべき点とすると、△印のように前後２点ずつ格子点が存在する場合と、×印のように前後に１点及び３点ある場合とでは、異なった補間式を使用する。
【００３０】
ここで補間すべき点の表色系をＬｍ＊ａｍ＊ｂｍ＊とし、各サンプル点の表色系をＬｉ＊ａｉ＊ｂｉ＊（ｉ＝１〜４）としたとき、前者（△印）の場合は例えばｉ＝２と３の間の点については以下のような補間式で、
Ｌｍ＊＝−（１／１６）Ｌ１＊＋（９／１６）Ｌ２＊＋（９／１６）Ｌ３＊−（１／１６）Ｌ４＊
ａｍ＊＝−（１／１６）ａ１＊＋（９／１６）ａ２＊＋（９／１６）ａ３＊−（１／１６）ａ４＊
ｂｍ＊＝−（１／１６）ｂ１＊＋（９／１６）ｂ２＊＋（９／１６）ｂ３＊−（１／１６）ｂ４＊
と補間される。
【００３１】
また、後者（×印）の場合には例えばｉ＝１と２の間の点については次の補間式で、
Ｌｍ＊＝（５／１６）Ｌ１＊＋（１５／１６）Ｌ２＊−（５／１６）Ｌ３＊−（１／１６）Ｌ４＊
ａｍ＊＝（５／１６）ａ１＊＋（１５／１６）ａ２＊−（５／１６）ａ３＊−（１／１６）ａ４＊
ｂｍ＊＝（５／１６）ｂ１＊＋（１５／１６）ｂ２＊−（９５／１６）ｂ３＊−（１／１６）ｂ４＊
と補間される。
【００３２】
図６にＣＭＹ３次元についての補間処理の順序の一例を示す。図６に示す番号▲１▼、▲２▼、▲３▼（それぞれ図６のローマ数字に対応）順序で補間処理を行うことによってＣＭＹ６×６×６を１１×１１×１１に補間する。更に、ＣＭＹ６×６×６の１１×１１×１１への補間を６つのレベルのＫのすべてについて行った後で、ＣＭＹ１１×１１×１１の各点について、Ｋの６点を１１点に補間する計算を図５に示す方法と同様にして行う。これによって、実際は６×６×６×６＝１２９６点のパッチしか測定していないにも拘わらず１１×１１×１１×１１＝１４６４１点まで拡張してＣＭＹＫの組合せについてＬ＊ａ＊ｂ＊値を求めることができる。そして、１１×１１×１１×１１の組み合わせのＣＭＹＫの組み合わせとそれぞれのＬ＊ａ＊ｂ＊値によりＣＭＹＫ→Ｌ＊ａ＊ｂ＊  ＬＵＴ（１）１３２が作成される。また、（Ｓ２１）の図１６に示したＣＭＹＫの組み合わせについても、Ｌ＊ａ＊ｂ＊値が上述の補間により求められて、この１１×１１×１１×１１の組み合わせによるＣＭＹＫ→Ｌ＊ａ＊ｂ＊  ＬＵＴ（１）１３２に含まれることになる。
【００３３】
（Ｓ２３）
次に、ＣＭＹＫ→Ｌ＊ａ＊ｂ＊  ＬＵＴ（１）１３２のＣＭＹＫの組合せ中の図１６に示した組み合わせを抽出し、その組み合わせについてのＬ＊ａ＊ｂ＊値を（Ｓ２１）で測定した測定値に置き換え、ＣＭＹＫ→Ｌ＊ａ＊ｂ＊  ＬＵＴ（２）１３４を作成する。
【００３４】
つまり、ＣＭＹＫ→Ｌ＊ａ＊ｂ＊  ＬＵＴ（１）１３２の中の図１６に示した組み合わせについてのＬ＊ａ＊ｂ＊値は、（Ｓ２２）のようにして行った補間で得たものであるから、実際の出力とは異なる場合があるので、グレー近傍の出力を測定した測定値に置き換えることで、ＣＭＹＫ→Ｌ＊ａ＊ｂ＊  ＬＵＴ（２）１３４を用いて色調整を行った場合に、特にグレー近傍の精度が向上することになる。ここで、図１６に示すＣ，Ｍ，Ｙの組み合わせの中で例えばＣ＝２０，Ｍ＝２０，Ｙ＝２０などの合計２８個は図４の組み合わせにも同じ組み合わせが含まれているが、この同じ組み合わせについては図１６の他の組み合わせと同様に置き換えてもよいし、置き換えなくても良い。ただし、図４に示す組み合わせと図１６に示す組み合わせを１枚目と２枚目の別々の画像として出力する場合には、２枚の間で出力ばらつきなどによるわずかな差が生じることがある。この場合、この同じ組み合わせについての置き換えを行わない場合には、その組み合わせのみ１枚目の測定値となり、その近傍の組み合わせの２枚目の測定値との間で出力ばらつきによる誤差が生じてしまうことになり、出力画像の品質が低下する場合がある。
【００３５】
（Ｓ２４）
一方、Ｌ＊ａ＊ｂ＊→ＣＭＹＫ  ＬＵＴ１３３は、図７に示すように３次元入力／４次元出力ＬＵＴであり、３３×３３×３３の格子点の間の点について補間を行って変換する。また、その手順を図８に示し、図８に基づいて説明する。
【００３６】
図８に示すように、上記３次元入力／４次元出力ＬＵＴを求める方法は次の各Ｓ０１〜Ｓ０４から構成される。簡単のため、基本色をＣ、Ｍの２色として説明する。なお、Ｃ、Ｍ、Ｙ、Ｋはいずれも０〜２５５の値をとるものとする。
【００３７】
（Ｓ０１）
前述のＣＭＹＫ→Ｌ＊ａ＊ｂ＊  ＬＵＴ（２）１３４のＣ×Ｍ×Ｙ×Ｋ：１１×１１×１１×１１についてのＬ＊ａ＊ｂ＊値である４次元データから、まず、Ｃ×Ｍ×Ｙ：１１×１１×１１についてのＬ＊ａ＊ｂ＊値である３次元データへの変換を行う。このために、本出願人による特許第２８９８０３０号の明細書に記されている方法を用いることができる。たとえば、ＣＭＹの最小値から求められるグレー成分を強調するためにＫが加えられるようにしてＣＭＹの最小値に基づいてＫを求め、ＣＭＹにそのＫを加えた場合についてのＬ＊ａ＊ｂ＊値をもとめることにより行う。
【００３８】
Ｋは次の式によって求めることができる。ＣＭＹの最小値をｍｉｎ［Ｃ、Ｍ、Ｙ］とすると、
Ｋ＝１．６（ｍｉｎ［Ｃ、Ｍ、Ｙ］−５０）
ただし、Ｋ＜０であればＫ＝０である。
【００３９】
また、このＫがＣＭＹに加えられたときのＬ＊ａ＊ｂ＊値は例えば次のようにして求めることができる。Ｃ＝Ｍ＝Ｙ＝７０の場合を例にとると、
Ｋ＝１．６×（７０−５０）＝３２であり、
この３２がＣ×Ｍ×Ｙ×Ｋ：１１×１１×１１×１１のＫの１１点（０，１０，２０，３０，４０，５０，６０，７０，８０，９０，１００）の４つめの３０と５つ目の４０の間になることから、１１×１１×１１×１１点のなかのＣ＝Ｍ＝Ｙ＝７０（８点目）、Ｋ＝３０（４点目）の点のＬ＊ａ＊ｂ＊値と、Ｃ＝Ｍ＝Ｙ＝７０（８点目）、Ｋ＝４０（５点目）の点のＬ＊ａ＊ｂ＊値との２つから補間して計算する。Ｃ＝Ｍ＝Ｙ＝７０（８点目）、Ｋ＝３０（４点目）のＬ＊ａ＊ｂ＊値であるＬ１＊ａ１＊ｂ１＊についての重みｗ１を、ｗ１＝１．０−（３２−３０）／（４０−３０）としてＣ＝Ｍ＝Ｙ＝７０（８点目）、Ｋ＝４０（５点目）のＬ＊ａ＊ｂ＊値であるＬ２＊ａ２＊ｂ２＊についての重みｗ２を、ｗ２＝（３２−３０）／（４０−３０）とすると、補間後のＬ＊ａ＊ｂ＊値、Ｌｍ＊ａｍ＊ｂｍ＊は、
Ｌｍ＊＝ｗ１×Ｌ１＊＋ｗ２×Ｌ２＊
ａｍ＊＝ｗ１×ａ１＊＋ｗ２×ａ２＊
ｂｍ＊＝ｗ１×ｂ１＊＋ｗ２×ｂ２＊
によって求めることができる。
【００４０】
これは、Ｃ＝Ｍ＝Ｙ＝７０の場合であるが、これをＣ×Ｍ×Ｙ：１１×１１×１１＝１３３１点について行うことにより、Ｃ×Ｍ×Ｙ×Ｋ：１１×１１×１１×１１の４次元のデータから、Ｃ×Ｍ×Ｙ：１１×１１×１１の３次元のデータを作成することができる。
【００４１】
（Ｓ０２）
つぎにＳ０１のＣ×Ｍ×Ｙ：１１×１１×１１の３次元データを用いて、Ｌ＊ａ＊ｂ＊→ＣＭＹ  ＬＵＴ（１）を計算する。図９は、ＣＭＹの内のＭとＣの２次元１１×１１の組合せ（Ｙ＝０）について、縦軸にＬ＊を横軸にａ＊をプロットしたものである。実際には３次元であるが簡単のため２次元で示す。
【００４２】
このＣＭＹの分布に対して、求めようとするターゲット点［Ｌ＊（０〜１００）ａ＊（−１２７〜１２８）ｂ＊（−１２７〜１２８）：３３×３３×３３＝３５９３７の各ＬＵＴ入力点］のＬ＊ａ＊ｂ＊が目標値Ｔ’として与えられる。目標値Ｔ’が図９に示すように格子点ａ’〜ｄ’で囲まれる領域にあるとき、ＭＣの座標系におけるＭＣの組合せ（目標値Ｔ）は図１０に示すように格子点ａ〜ｄで囲まれる領域内にあるものと推定される。そして、目標値Ｔが格子点ａ〜ｄによって形成される領域のどこにあるかは、図９の表色系を図１０の座標系に対応付けながら、収束演算処理をして求める。このように収束演算処理をするのは、図１０の座標系から図９の表色系への変換が既知であるにもかかわらずこの逆の変換は非常に複雑で未だ良好な変換式が知られていないためである。
【００４３】
次に、図１１の格子点ａ〜ｄによって形成される領域ＳＰ０を４つの領域ＳＰ１〜ＳＰ４に等分する。５個の分割点ｅ〜ｉは、既に求められている周囲の格子点を利用して重み平均によって算出する。そして、この分割点ｅ〜ｉに対応する値をＬ＊ａ＊ｂ＊表色系に変換したときの値を図１２の表色系にプロットし、プロットされた分割点ｅ’〜ｉ’によって形成された４つの領域ＳＰ１’〜ＳＰ４’のうちどの領域に目標値Ｔ’があるかを求める。図１２に示すように領域ＳＰ２’にあるときには、図１１に示すように目標値Ｔは領域ＳＰ２’に対応したＳＰ２にあるものと推定する。
【００４４】
つぎに推定された領域ＳＰ２をＳＰ５〜ＳＰ８に等分する。５個の分割点ｊ〜ｎは既に求められている周囲の格子点又は分割点を利用して重み平均によって算出する。そして、この分割点ｊ〜ｎに対応する値をＬ＊ａ＊ｂ＊表色系に変換したときの値を図１２の表色系にプロットし、プロットされた分割点ｊ’〜ｎ’によって形成された４つの領域ＳＰ５’〜ＳＰ８’のうちどの領域に目標値Ｔ’があるかを求める。図１２に示すように領域ＳＰ８’にあるときには、図１１に示すように目標値Ｔは領域ＳＰ８’に対応した領域ＳＰ８にあるものと推定する。
【００４５】
つぎに、推定された領域ＳＰ８を４つの領域ＳＰ９からＳＰ１２に等分する。５個の分割点ｏ〜ｓは既に求められている周囲の格子点又は分割点を利用して重み平均によって算出する。そして、この分割点ｏ〜ｓに対応する値をＬ＊ａ＊ｂ＊表色系に変換したときの値を図１２の表色系にプロットし、プロットされた分割点ｏ’〜ｓ’によって形成された４つの領域ＳＰ９’〜ＳＰ１２’のうちどの領域に目標値Ｔ’があるかを求める。図１２に示すように領域ＳＰ１０’にあるときには、図１１に示すように目標値Ｔは領域ＳＰ１０’に対応した領域ＳＰ１０にあるものと推定する。
【００４６】
以上のような領域の分割を繰り返すことによって格子は次第に小さくなり、ついには収束する。そして、収束した領域を形成する４つの格子点又は分割点を平均することによって目標値Ｔが求められ、従って求めようとする出力色を示す基本色の組合せを求めることができる。
【００４７】
また、本実施の形態では、上述のような収束演算による方法を記したが、本出願人による特許第２８９５０８６号の明細書に記載されているような補間方法を用いても良い。
【００４８】
ところで、目標値Ｔ’が図１３に示すようにＬ＊ａ＊ｂ＊表色系の頂点Ｗ’、Ｃ’、Ｍ’、Ｂ’で形成される色再現範囲の外にあるときには、この目標値Ｔ’を色再現範囲に移動する必要がある。この場合、目標値Ｔ’を無彩色方向に移動させ、図１４に示すように無彩色方向の色再現範囲の境界との交点の座標を目標値とし、図１５に示すようにＴ’に対応する目標値Ｔを算出する。
【００４９】
なお、目標値Ｔ’は必ずしも境界に移動させる必要はなく、色再現範囲内に移動されればよい。また、ここでは説明のためにＣ×Ｍの２次元について例を示したが、実際にはＣ×Ｍ×Ｙの三次元について行い、Ｌ＊ａ＊ｂ＊の３３×３３×３３点の各ＬＵＴ入力点を目標値Ｔ’としてＣ、Ｍ、Ｙの値を１点ずつ計算する必要がある。
【００５０】
（Ｓ０３）
Ｓ０２で求めたＬ＊ａ＊ｂ＊→ＣＭＹ  ＬＵＴ（１）のＬ＊ａ＊ｂ＊の３３×３３×３３点についてのＣ，Ｍ，Ｙは、Ｓ０１で求めたＣ×Ｍ×Ｙ：１１×１１×１１の３次元データに対応するＣＭＹであり、Ｓ０１と同じ方法でＣＭＹからＫを求める。
Ｋ＝１．６（ｍｉｎ［Ｃ、Ｍ、Ｙ］−５０）
ただし、Ｋ＜０であればＫ＝０である。
【００５１】
（Ｓ０４）
上述のようにして求められたＬ＊ａ＊ｂ＊の３３×３３×３３点の各ＬＵＴ入力点についてのＣＭＹＫ値をＬＵＴ化し、Ｌ＊ａ＊ｂ＊→ＣＭＹＫ  ＬＵＴ１３３とする。
【００５２】
このような変換テーブルを用いて色調整を行うことにより、グレーの出力の測定値に基づく補正が行われるため、特にグレーの色合わせを高精度に行うことができる。
【００５３】
つまり、ＣＭＹＫ→Ｌ＊ａ＊ｂ＊  ＬＵＴ（１）１３２の中の図１６に示した組み合わせについてのＬ＊ａ＊ｂ＊値は、（Ｓ２２）のようにして行った補間で得たものであるから、実際の出力とは異なる場合があるので、グレー近傍の出力を測定した測定値に置き換えることで、ＣＭＹＫ→Ｌ＊ａ＊ｂ＊  ＬＵＴ（２）１３４やＬ＊ａ＊ｂ＊→ＣＭＹＫ  ＬＵＴ１３３を用いて色調整を行った場合に、特にグレー近傍の精度が向上することになる。
【００５４】
また、（Ｓ２２）の様な補間による方法を用いずに、１１×１１×１１×１１の組み合わせの格子点の測定結果から、１１×１１×１１×１１の組み合わせについてＣＭＹＫ→Ｌ＊ａ＊ｂ＊  ＬＵＴ作成しようとすれば、１１×１１×１１×１１＝１４６４１点のカラーパッチを測定することが必要になるが、本発明によれば、６×６×６×６＝１２９６点のカラーパッチを測定に、わずか２８５点のグレー及びグレー近傍のパッチを測定するだけで、特にグレーの色調整を高精度で行うことができる。
【００５５】
また、上述の実施の形態では、Ｋ＝０の場合のＣ、Ｍ、Ｙが均等な組み合わせのグレー及びそのグレー近傍のＬ＊ａ＊ｂ＊値を置き換える例を示したが、Ｋ＝０以外の場合のＣ、Ｍ、Ｙが均等な組み合わせの、例えばＣ、Ｍ、Ｙ、Ｋの組み合わせが（１０，１０，１０，２０）のようなグレー及びそのグレー近傍を測定したＬ＊ａ＊ｂ＊値を置き換えてもよい。
【００５６】
本実施の形態の印刷機の色を校正用カラープリンタで色再現する場合においては、別に作成した印刷機のＣＭＹＫ→Ｌ＊ａ＊ｂ＊  ＬＵＴ１３５と、本実施の形態で作成した校正用カラープリンタのＬ＊ａ＊ｂ＊→ＣＭＹＫ  ＬＵＴ１３３を用いて画像データの色変換を行なう。印刷機のＣＭＹＫ→Ｌ＊ａ＊ｂ＊  ＬＵＴ１３５とＬ＊ａ＊ｂ＊→ＣＭＹＫ  ＬＵＴ１３６についても、本実施の形態で記した校正用カラープリンタのＣＭＹＫ→Ｌ＊ａ＊ｂ＊  ＬＵＴ（２）１３４とＬ＊ａ＊ｂ＊→ＣＭＹＫ  ＬＵＴ１３３と同様にして作成することが可能である。
【００５７】
また、基本色がＣＭＹＫ４色の代わりにＣＭＹ３色またはＲＧＢ３色の場合にも同様に適用できる。
【００５８】
【発明の効果】
以上説明したように、本発明の色調整方法によれば、測定するカラーパッチを可能な限り抑え、且つ、特にグレー近傍の出力色の調整を高精度で行うことが可能な色変換テーブル作成方法を提供することができる。
【図面の簡単な説明】
【図１】本発明の実施形態に係る装置の構成の一例について示すブロック図である。
【図２】本実施の形態における色変換テーブルの作成方法の手順のフローチャートである。
【図３】本実施の形態においてＣＭＹＫの組み合わせを表色系の値Ｌ＊ａ＊ｂ＊に変換するＬＵＴの説明図である。
【図４】本実施の形態におけるカラーパッチ及びグレーのパッチ像の一例を示す図である。
【図５】本実施の形態においてＣＭＹのパラメータと表色系の値による軌跡上のサンプル点と補間する点の分布を示した図である。
【図６】本実施の形態においてＣＭＹの組み合わせを表色系の値に変換する際の補間処理の順番を示した図である。
【図７】本実施の形態において表色系の値Ｌ＊ａ＊ｂ＊をＣＭＹＫの色の値に変換するＬＵＴの説明図である。
【図８】本実施の形態におけるＬ＊ａ＊ｂ＊→ＣＭＹＫ  ＬＵＴの３次元入力／４次元出力ＬＵＴを求める手順のフローチャートである。
【図９】本実施の形態においてＣ、Ｍの表色系の座標における目標値Ｔ’を示す座標図である。
【図１０】本実施の形態においてＣ、Ｍの色の組合せの座標における目標値Ｔを示す座標図である。
【図１１】本実施の形態においてＣ、Ｍの色の組合せの座標における目標値Ｔを推定するための収束演算処理の座標図である。
【図１２】本実施の形態においてＣ、Ｍの表色系の座標における目標値Ｔ’を推定するための収束演算処理の座標図である。
【図１３】本実施の形態において目標値Ｔ’が色再現範囲の外にある場合のＣ、Ｍの表色系の座標における目標値Ｔ’を示す図である。
【図１４】本実施の形態において目標値Ｔ’が色再現範囲の外にある場合のＣ、Ｍの表色系の座標における目標値Ｔ’を示す座標図で、目標値Ｔ’を色再現範囲の内に移動させたことを示す座標図である。
【図１５】本実施の形態において色再現範囲の外にある目標値Ｔ’を色再現範囲の内に移動させた場合のＣ、Ｍの色の組合せの座標における目標値Ｔを示す図である。
【図１６】本実施の形態におけるグレー及びグレー近傍のパッチのＣ、Ｍ、Ｙ、Ｋのパラメータの組み合わせを示す説明図である。
【図１７】本実施の形態におけるグレー及びグレー近傍のパッチ像の一例を示す図である。
【図１８】図１６に示したデータＮｏ．のＮｏ．１からＮｏ．３７を付したパッチについてのＣＭＹ座標空間上での位置関係を示す図である。
【符号の説明】
１０  パソコン
１１  演算処理部
１２  第一記憶部
１３  第二記憶部
１４  インターフェイス
１５  表示部
１６  操作部
１７  内部バス
１８  測定器
２０  校正用カラープリンタ
３０  バス
【図１】
2004282173.tif 000003
【図２】
2004282173.tif 000004
【図３】
2004282173.tif 000005
【図４】
2004282173.tif 000006
【図５】
2004282173.tif 000007
【図６】
2004282173.tif 000008
【図７】
2004282173.tif 000009
【図８】
2004282173.tif 000010
【図９】
2004282173.tif 000011
【図１０】
2004282173.tif 000012
【図１１】
2004282173.tif 000013
【図１２】
2004282173.tif 000014
【図１３】
2004282173.tif 000015
【図１４】
2004282173.tif 000016
【図１５】
2004282173.tif 000017
【図１６】
2004282173.tif 000018
【図１７】
2004282173.tif 000019
【図１８】
2004282173.tif 000020